(57)【要約】【課題】本発明は、プレゼンテーション装置からのメディアを保存するための要素部品を提供する。【解決手段】  本発明の要素部品は、映像信号を転送するように適応された要素部品であって、該要素部品は、映像信号を表示装置へ提供するために、プレゼンテーション装置へ接続されるように適応されている。該要素部品は、オン状態およびオフ状態の備わったスイッチを含み、該スイッチがオン状態にあるときは、前記プレゼンテーション装置からのメディアの保存を有効とし、該スイッチがオフ状態にあるときは、前記プレゼンテーション装置からのメディアの保存を無効とする。該スイッチがオフ状態にあるときでも、前記表示装置によるメディアの表示を無効としない。【選択図】図１Ａ
2007258153.tif 000002
【特許請求の範囲】
【請求項１】
映像信号を転送するように適応された要素部品であって、
該要素部品は、映像信号を表示装置へ提供するために、プレゼンテーション装置へ接続されるように適応されており、
該要素部品は、オン状態およびオフ状態の備わったスイッチを含み、
該スイッチがオン状態にあるときは、前記プレゼンテーション装置からのメディアの保存を有効とし、
該スイッチがオフ状態にあるときは、前記プレゼンテーション装置からのメディアの保存を無効とし、
該スイッチがオフ状態にあるときでも、前記表示装置によるメディアの表示を無効としない、
要素部品。
【請求項２】
前記要素部品は、映像ケーブルの一部である、請求項１に記載の要素部品。
【請求項３】
前記要素部品は、映像ケーブルのプラグである、請求項１に記載の要素部品。
【請求項４】
前記要素部品は、映像ケーブルへ接続されている、請求項１に記載の要素部品。
【請求項５】
前記要素部品は、該要素部品の状態を示すための表示手段を含む、請求項１に記載の要素部品。
【請求項６】
前記スイッチの状態は、機械的に符号化される、請求項１に記載の要素部品。
【請求項７】
前記スイッチの状態は、電子的に符号化される、請求項１に記載の要素部品。
【請求項８】
前記スイッチは、手動で操作される、請求項１に記載の要素部品。
【請求項９】
前記スイッチは、前記要素部品の接続がはずされるとデフォルト状態へ変更される、請求項１に記載の要素部品。
【請求項１０】
前記スイッチは、取り付けられる前記要素部品のために、デフォルト状態から切り換えられる、請求項１に記載の要素部品。
【請求項１１】
前記要素部品は、映像ケーブル・コードの１本以上のラインを使用して、前記スイッチの状態の表示を転送する、請求項１に記載の要素部品。
【請求項１２】
保存が、前記メディア保存ユニットで有効にされ、および、無効にされる、請求項１に記載の要素部品。
【請求項１３】
前記要素部品は、前記メディア保存ユニットへ前記表示を送信する、請求項１１に記載の要素部品。
【請求項１４】
前記メディア保存ユニットは、メディアを保存するか否かを判断するために、アースされている映像ケーブルのラインを検出する、請求項１１に記載の要素部品。
【請求項１５】
前記メディア保存ユニットは、メディアを保存するか否かを判断するために、画像を検査する、請求項１１に記載の要素部品。
【請求項１６】
映像ケーブル・コードと、
前記映像ケーブル・コードに取り付けられたプラグと、
を含む映像ケーブルであって、
前記プラグは、映像信号を表示装置へ提供するために、プレゼンテーション装置へ接続されるように適応されており、
前記プラグは、オン状態およびオフ状態の備わったスイッチを含み、
前記スイッチがオン状態にあるときは、前記プレゼンテーション装置からのメディアの保存を有効とし、
前記スイッチがオフ状態にあるときは、前記プレゼンテーション装置からのメディアの保存を無効とし、
前記スイッチがオフ状態にあるときでも、前記表示装置によるメディアの表示を無効としない、
映像ケーブル。
【請求項１７】
前記スイッチは、前記映像ケーブル・コードのプラグの接続がはずされると、デフォルト状態へ変更される、請求項１６に記載の映像ケーブル。
【請求項１８】
前記スイッチは、手動で操作される、請求項１６に記載の映像ケーブル。
【請求項１９】
前記映像ケーブルは、ＶＧＡケーブルである、請求項１６に記載の映像ケーブル。
【請求項２０】
前記プラグは、前記映像ケーブル・コードの接続がはずされると、前記スイッチの状態を示す、請求項１６に記載の映像ケーブル。
【請求項２１】
前記スイッチは、取り付けられるプラグのために、デフォルト状態から切り換えられる、請求項１６に記載の映像ケーブル。
【請求項２２】
前記プラグは、前記映像ケーブル・コードの１本以上のラインを使用して、前記スイッチの状態の表示を転送する、請求項１６に記載の映像ケーブル。
【請求項２３】
前記プラグは、ＤＤＣメッセージを使用して、前記スイッチの状態の表示を転送する、請求項１６に記載の映像ケーブル。
【請求項２４】
保存が、前記メディア保存ユニットで有効にされ、および、無効にされる、請求項１６に記載の映像ケーブル。
【請求項２５】
前記メディア保存ユニットは、メディアを保存するか否かを判断するために、アースされている映像ケーブルのラインを検出する、請求項２２に記載の映像ケーブル。
【請求項２６】
前記メディア保存ユニットは、メディアを保存するか否かを判断するために、画像を検査する、請求項２２に記載の映像ケーブル。
【請求項２７】
前記メディア保存ユニットは、メディアを保存するか否かを判断するために、ＤＤＣメッセージを検査する、請求項２２に記載の映像ケーブル。
【発明の詳細な説明】
【技術分野】
【０００１】
本発明は、メディア・プレゼンテーションを保存するシステムに関する。詳細には、本発明は、映像信号を転送するように適応された要素部品および映像信号を表示装置へ提供するために、プレゼンテーション装置へ接続されるように適応されたプラグを含む映像ケーブルに関する。
【背景技術】
【０００２】
スライド・プレゼンテーション、とりわけコンピュータによって作成されたスライド・プレゼンテーションは、ビジネスおよび学問の世界においてますます重要になってきている。一般に、会社および大学では、多数のプレゼンテーションが行われる。該プレゼンテーションは、同僚達に利用可能であれば有益であろう多くの情報を含む。それゆえ、プレゼンテーションに使用されたスライド画像および他のメディアをアーカイブに保管することが望ましい。
【０００３】
これを行う１つの方法は、スライド・プレゼンテーション・ソフトウェアとインタラクトするソフトウェアを使用することである。この付加的ソフトウェアは、プレゼンテーションのスライド画像および他のメディアを取得するとともに後の使用のために保存することができる。この種の解決法に伴う問題点は、使用することのできるスライド・プレゼンテーション・ソフトウェアのタイプおよびコンピュータ・オペレーティング・システムが限定されるかもしれない、ということである。さらに、この種の解決法は、すべてのプレゼンタのラップトップ・コンピュータへ取り込まれる必要があり、そのため、プレゼンタにとって負担となる。
【０００４】
本発明は、モニタ・アダプタに関する特許文献１、通信プロトコルを選択することができる表示手段に関する特許文献２、および非特許文献１に関連する。
【特許文献１】米国特許第５，７２７，１９１号明細書
【特許文献２】米国特許第６，３７３，４７６  Ｂ１号明細書
【非特許文献１】ギルゲンゾーンら（Girgensohn et al.）、「変換係数による映像分類（Video Classification Using Transform Coefficients）」、ＦＸパロアルトラボラトリ（FX Palo Alto Laboratory）、頁４
【発明の開示】
【発明が解決しようとする課題】
【０００５】
上記に鑑み、本発明は、プレゼンテーション装置からのメディアを保存することを課題とする。
【課題を解決するための手段】
【０００６】
本発明の一実施形態では、表示装置に表示されるメディアの保存を制御するために、映像コードのプラグのような要素部品が使用される。これによって、ユーザが表示されたメディアの保存に同意することが確認される。
【０００７】
表示装置へ映像信号をもたらすために、該要素部品をプレゼンテーション装置へ接続することができる。この要素部品には、オン状態およびオフ状態の備わったスイッチが含まれていてもよい。このスイッチがオン状態にあるときには、プレゼンテーション装置からのメディアの保存は有効である。このスイッチがオフ状態にあるときには、プレゼンテーション装置からのメディアの保存は無効である。このスイッチがオフ状態にあるときでも、表示装置によるメディアの表示は無効にされない。
【０００８】
本発明の第１の態様は、映像信号を転送するように適応された要素部品であって、該要素部品は、映像信号を表示装置へ提供するために、プレゼンテーション装置へ接続されるように適応されており、該要素部品は、オン状態およびオフ状態の備わったスイッチを含み、該スイッチがオン状態にあるときは、前記プレゼンテーション装置からのメディアの保存を有効とし、該スイッチがオフ状態にあるときは、前記プレゼンテーション装置からのメディアの保存を無効とし、該スイッチがオフ状態にあるときでも、前記表示装置によるメディアの表示を無効としない。
【０００９】
本発明の第２の態様は、第１の態様の要素部品であって、該要素部品は、映像ケーブルの一部である。
【００１０】
本発明の第３の態様は、第１の態様の要素部品であって、該要素部品は、映像ケーブルのプラグである。
【００１１】
本発明の第４の態様は、第１の態様の要素部品であって、該要素部品は、映像ケーブルへ接続されている。
【００１２】
本発明の第５の態様は、第１の態様の要素部品であって、該要素部品は、該要素部品の状態を示すための表示手段を含む。
【００１３】
本発明の第６の態様は、第１の態様の要素部品であって、前記スイッチの状態は、機械的に符号化される。
【００１４】
本発明の第７の態様は、第１の態様の要素部品であって、前記スイッチの状態は、電子的に符号化される。
【００１５】
本発明の第８の態様は、第１の態様の要素部品であって、前記スイッチは、手動で操作される。
【００１６】
本発明の第９の態様は、第１の態様の要素部品であって、前記スイッチは、該要素部品の接続がはずされるとデフォルト状態へ変更される。
【００１７】
本発明の第１０の態様は、第１の態様の要素部品であって、前記スイッチは、取り付けられる該要素部品のために、デフォルト状態から切り換えられる。
【００１８】
本発明の第１１の態様は、第１の態様の要素部品であって、該要素部品は、映像ケーブル・コードの１本以上のラインを使用して、前記スイッチの状態の表示を転送する。
【００１９】
本発明の第１２の態様は、第１の態様の要素部品であって、保存が、前記メディア保存ユニットで有効にされ、および、無効にされる。
【００２０】
本発明の第１３の態様は、第１１の態様の要素部品であって、該要素部品は、前記メディア保存ユニットへ前記表示を送信する。
【００２１】
本発明の第１４の態様は、第１１の態様の要素部品であって、前記メディア保存ユニットは、メディアを保存するか否かを判断するために、アースされている映像ケーブルのラインを検出する。
【００２２】
本発明の第１５の態様は、第１１の態様の要素部品であって、前記メディア保存ユニットは、メディアを保存するか否かを判断するために、画像を検査する。
【００２３】
本発明の第１６の態様は、映像ケーブル・コードと、前記映像ケーブル・コードに取り付けられたプラグと、を含む映像ケーブルであって、前記プラグは、映像信号を表示装置へ提供するために、プレゼンテーション装置へ接続されるように適応されており、前記プラグは、オン状態およびオフ状態の備わったスイッチを含み、前記スイッチがオン状態にあるときは、前記プレゼンテーション装置からのメディアの保存を有効とし、前記スイッチがオフ状態にあるときは、前記プレゼンテーション装置からのメディアの保存を無効とし、前記スイッチがオフ状態にあるときでも、前記表示装置によるメディアの表示を無効としない。
【００２４】
本発明の第１７の態様は、第１６の態様の映像ケーブルであって、前記スイッチは、前記映像ケーブル・コードのプラグの接続がはずされると、デフォルト状態へ変更される。
【００２５】
本発明の第１８の態様は、第１６の態様の映像ケーブルであって、前記スイッチは、手動で操作される。
【００２６】
本発明の第１９の態様は、第１６の態様の映像ケーブルであって、該映像ケーブルは、ＶＧＡケーブルである。
【００２７】
本発明の第２０の態様は、第１６の態様の映像ケーブルであって、前記プラグは、該映像ケーブル・コードの接続がはずされると、前記スイッチの状態を示す。
【００２８】
本発明の第２１の態様は、第１６の態様の映像ケーブルであって、前記スイッチは、取り付けられるプラグのために、デフォルト状態から切り換えられる。
【００２９】
本発明の第２２の態様は、第１６の態様の映像ケーブルであって、前記プラグは、前記映像ケーブル・コードの１本以上のラインを使用して、前記スイッチの状態の表示を転送する。
【００３０】
本発明の第２３の態様は、第１６の態様の映像ケーブルであって、前記プラグは、ＤＤＣメッセージを使用して、前記スイッチの状態の表示を転送する。
【００３１】
本発明の第２４の態様は、第１６の態様の映像ケーブルであって、保存が、前記メディア保存ユニットで有効にされ、および、無効にされる。
【００３２】
本発明の第２５の態様は、第２２の態様の映像ケーブルであって、前記メディア保存ユニットは、メディアを保存するか否かを判断するために、アースされている映像ケーブルのラインを検出する。
【００３３】
本発明の第２６の態様は、第２２の態様の映像ケーブルであって、前記メディア保存ユニットは、メディアを保存するか否かを判断するために、画像を検査する。
【００３４】
本発明の第２７の態様は、第２２の態様の映像ケーブルであって、前記メディア保存ユニットは、メディアを保存するか否かを判断するために、ＤＤＣメッセージを検査する。
【発明の効果】
【００３５】
本発明の要素部品は、映像信号を転送するように適応された要素部品であって、該要素部品は、映像信号を表示装置へ提供するために、プレゼンテーション装置へ接続されるように適応されており、該要素部品は、オン状態およびオフ状態の備わったスイッチを含み、該スイッチがオン状態にあるときは、前記プレゼンテーション装置からのメディアの保存を有効とし、該スイッチがオフ状態にあるときは、前記プレゼンテーション装置からのメディアの保存を無効とし、該スイッチがオフ状態にあるときでも、前記表示装置によるメディアの表示を無効としないようにしている。したがって、本発明の要素部品によれば、どのようなソフトウェア要件も余計なユーザ・インタラクションも必要とすることなく、プレゼンテーション装置からのメディアを保存することができる。
【発明を実施するための最良の形態】
【００３６】
本発明の好ましい実施形態を図面に基づいて詳細に説明する。
【００３７】
図２は、一実施形態におけるメディア保存ユニット・システムの図である。プロジェクタのような表示装置２０６および２０６’が、ラップトップ・コンピュータのようなプレゼンテーション装置２０４および２０４’から、表示画面の映像信号のようなプレゼンテーション情報を受信することができる。プレゼンテーション情報は、ＶＧＡケーブルのような映像ケーブル２０８および２０８’を使用して送信することができる。メディア保存ユニット２０２および２０２’は、映像ケーブルから取得されるメディアをコピーすることができる。このメディア保存ユニットは、表示装置と直列であってもよく（パス・スルー・モード）、あるいは表示装置と並列であってもよい（スプリッタ・モード）。
【００３８】
一実施形態では、このメディア保存ユニットは、スライドおよび音声ストリームのようなプレゼンテーション・メディアを取り込み、索引付けしかつ管理するために使用することができる。映像ストリームが取り込まれるので、どのようなソフトウェア要件も余計なユーザ・インタラクションも必要とすることなく、このシステムは、プレゼンタの承認によって、プレゼンテーション・メディアを取り込むことができる。映像取り込みは、光学式文字認識（ＯＣＲ）技術のようなその後の解析技術と一対にすることができる。映像ストリーム取り込みに基づいたシステムは、プレゼンタの装置のハードウェアあるいはソフトウェアとは独立していてもよい。プレゼンテーションが取り込まれると、ユーザは、もたらされるアーカイブを使用することで、関心のある内容を捜し出すために、検索しかつ閲覧することができる。スライド画像は、その編成の内部で再使用されることができ、また、結合されたテキストによる表示およびプレゼンテーション・コンテンツは、正確な検索、翻訳、あるいは推奨のサービスのために利用されることができる。ウェブ・ユーザ・インターフェイスは、取り込まれた内容をユーザが検索し、再生しかつエクスポートすることができるように、使用されることができる。
【００３９】
メディア保存ユニットは、コンピュータの画面に表示された可視マテリアルをＶＧＡケーブルのような映像ケーブルによって記録することができる。映像の供給源は、ＶＧＡケーブルに接続されたラップトップ・コンピュータのようなコンピュータであってもよい。ラップトップ・コンピュータのユーザは、該ユーザが表示するつもりであるコンテンツがメディア保存ユニットによって取り込まれるのを防止することを要望するかもしれない。この要望を受け入れるために、該ケーブルの一部であるかあるいは該ケーブルに関連するものであってよい要素部品は、ユーザが記録プロセスを有効にするかあるいは無効にするかを選択することのできる物理的インターフェイスを含むことができる。一実施形態では、このインターフェイスは、メディア保存を有効にするか無効にするためにユーザによる明示的な選択を要求することができ、映像ケーブルを使用してメディア保存ユニットとの通信を行うことができ、さらに、現在の記録状態の可視フィードバックをもたらすことができる。（なお、要素部品は、装置、素子、部品、部材などであってもよい。）
プライバシーはメディア保存についての共通の関心事である。そこで、記録を有効にするか無効にするかについての情報(affordance)をもたらすことができる。一実施形態では、メディア保存ユニットはＶＧＡケーブルだけを介してプレゼンテーション装置へ接続されている。それゆえ、この接続を利用するインタラクション・システムは有利である。記録スイッチにおける別の望ましい特性は、記録スイッチによって、ユーザが現在の記録状態を知ることである。スイッチをＶＧＡケーブルに一体化することによって、ユーザはシステムを使用するための記録制御を自然に処理するであろう。一実施形態では、ケーブルを使用するために、記録に関して選択することをユーザに要求するような手法で、ケーブルが設計される。
【００４０】
本発明の一実施形態は、映像信号を転送するように適応された要素部品１０２である（図１Ａ）。この要素部品１０２は、映像信号を表示装置へもたらすためのプレゼンテーション装置に接続することができる。要素部品１０２には、オン状態およびオフ状態の備わったスイッチ１０４が含まれていてもよい（図１Ｂ）。このスイッチがオン状態にあるときには、プレゼンテーション装置からのメディアの保存を有効にすることができる。このスイッチがオフ状態にあるときには、プレゼンテーション装置からのメディアの保存を無効にすることができる。一実施形態では、このスイッチがオフ状態にあるときに、表示装置によるメディアの表示が無効にされることはない。
【００４１】
要素部品１０２は映像ケーブルのプラグのような映像ケーブルの一部であってもよい。この要素部品の備わった映像ケーブルは、プレゼンテーション装置と表示装置とを相互接続することができる。これに代えて、この要素部品は映像ケーブルへ接続されることができる。図３は、要素部品３０２が、映像ケーブル３０６へ接続される短い映像ケーブル（ドングル）３０４に取り付けられている場合を示している。
【００４２】
要素部品は、この要素部品の状態を表示するための表示手段を含んでいてもよい。この表示手段は、ＬＥＤ、ＬＣＤあるいは任意のタイプの表示手段であってよい。スイッチはその要素部品がはずされるときに（プラグが抜かれるときに）状態を変更することができる。
【００４３】
スイッチの状態は、機械的に、電子的にあるいは手動により符号化することができる。手動スイッチはオン位置およびオフ位置で使用することができる。
【００４４】
２つ以上のオン状態があってもよい。例えば、１つのオン状態では映像および音声を記録することが有効であり、他のオン状態では音声を記録することが有効ではない（すなわち、映像だけを記録することが有効である）。
【００４５】
スイッチにはデフォルト状態が備わっていてもよい。このスイッチは使用の後にデフォルト状態に戻ることができる。一実施形態では、プレゼンテーション装置へ取り付けられるプラグのような要素部品のために、スイッチはデフォルト状態から切り換えられる必要がある。このデフォルト状態は、オン状態、オフ状態あるいはニュートラル状態であってよい。スイッチには、はずされるときに（プラグが抜かれるときに）状態を切り換えるばねあるいは他の要素部品が備わっていてもよい。メディア保存を、メディア保存ユニットで有効にし、かつ、無効にすることができる。メディア保存ユニットは要素部品から送信された指示を検出することができる。例えば、メディア保存ユニットは、メディアを保存するか否かを決定するために、アースされているカラー・ラインのようなラインを検出することができる。この要素部品は、映像ケーブル・コードのカラー・ラインのような１本以上のラインを使用して、スイッチ状態の指示を転送することができる。これに代えて、メディア保存ユニットは、メディアを保存するか否かを決定するために画像を検査することができる。
【００４６】
本発明の一実施形態では、映像ケーブルは、映像ケーブル・コード１０６と、この映像ケーブル・コードへ取り付けられたプラグ１０２と、を含む。このプラグは、映像信号を表示装置へもたらすためのプレゼンテーション装置へ接続されるように適応されている。プラグ１０２には、オン状態およびオフ状態の備わったスイッチ１０４が含まれていてもよい。このスイッチがオン状態にあるときには、プレゼンテーション装置からのメディアの保存は有効にされる。このスイッチがオフ状態にあるときには、プレゼンテーション装置からのメディアの保存は無効にされる。一実施形態では、オフ状態にあるスイッチ１０４が表示装置によるメディアの表示を無効にすることはない。
【００４７】
図４および表１は、本発明の一実施形態に使用することのできるＶＧＡケーブルの詳細を示している。
【００４８】
【表１】
2007258153.tif 000003
【００４９】
表１は例示的なＶＧＡピン配置を示している。１〜３、５〜８、１０、１３、１４は、すべてのＶＧＡケーブルに共通であるピン配置に対応している。９、１２、１５の下線付きの文字は、ＶＥＳＡ  ＤＤＣ仕様における配置を示している。４、１１、１２の下線が付されていない文字は、モニタＩＤ検出スキームにおけるピン配置を示している。
「例示的な実施形態」
●オプトイン(opt-in)動作およびオプトアウト(opt-out)動作
さまざまなインターフェイス動作を実施することができる。
１．直前選択(last-choice)：スイッチは、明示的に変更されるまで、直前に設定された位置にとどまっている。
２．オプトイン（アウト）：プラグが抜かれると（はずされると）、スイッチは、オフ位置（オン位置）へ戻り、かつ、ケーブルがコンピュータに取り付けられると、記録を有効にする（無効にする）ために、ユーザの選択が要求される。
３．強制オプト：プラグが抜かれると（はずされると）、スイッチはニュートラル位置へ戻り、かつ、ケーブルがコンピュータに取り付けられると、記録を有効にするかあるいは無効にするために、ユーザの選択が要求される。
【００５０】
動作「＃１」は、プラグが抜かれたときに（はずされたときに）スイッチをリセットする必要がなく（動作「＃２」および「＃３」（では必要））、また、何れの選択もされなかったときにＶＧＡプラグの使用を遮断するために物理的方法を提供する必要もない（「＃３」（では必要））ので、最もシンプルな設計である。
●電力
ＶＥＳＡ  ＤＤＣ規格は、ピン「＃９」が＋５ボルトであることを指定する。この電力は、低電力通信回路あるいは本発明のスマート・ケーブルにおけるＬＥＤ表示を作動させるために使用することができる。これに代えて、モニタＩＤ／ＤＤＣケーブルの１つは、メディア保存ユニットから電力を供給されることができる。ケーブルのコンピュータ接続端部では、このラインはパス・スルーではないであろう。
●通信路
標準的なＶＧＡケーブルのワイヤは、該ケーブルの正常な動作を妨げることなく通信のために使用されることができる。
●プラグが抜かれたときの（はずされたときの）電気信号伝達
プラグのような要素部品は、この要素部品がコンピュータに接続されていないときにメディア保存ユニットとの通信のための映像ケーブルを使用するような手法で、設計されることができる。一実施形態では、コンピュータが取り付けられると、メディア保存ユニットの通信チャネルが無効になるので、ユーザは、ケーブルが抜かれたときに（はずされたときに）記録状態を変更するだけである。表示手段アダプタが取り付けられた時点を検出するために、スイッチによるさまざまな手法を使用することができる。スイッチは、コンピュータへのプラグ差し込みの動作によって押圧される物理的スイッチであってもよいし、あるいは、映像アダプタへプラグが差し込まれたときのピン間におけるインピーダンスの変化を検出するか、若しくは、同期信号の存在を検出することのできる電気回路であってもよい。この信号伝達方法(signaling method)では、該信号は表示手段が非作動状態にある（同期信号が存在しない）間にだけ伝達されるので、カラー・ラインを含むＶＧＡケーブルにおける任意のラインを使用することができる。
●可視信号伝達
別の信号伝達方法は、メディア保存ユニットと通信するためにわずかの間アースされる１本以上のカラー・ラインをスイッチに取り出させることである。この方法では、ビデオ・キャプチャ・カード自体が、取り込まれた画像を解析することで、スイッチの動作を検出することができる。
【００５１】
一実施形態では、取り込まれた一連の画像を検査することができる。緑色が検出されないときには、記録をオフにする信号として解釈することができ、また、赤色が検出されないときには、記録をオンにする信号として解釈することができる。他の異なった信号伝達方法を使用することもできる。一実施形態では、接続エラーを防止するために、スタンピング(stamping)が複数回行われる。この要素部品は、間違った検出を防止するために、一連の値を送信することができる。一般に、ビデオ・キャプチャ・カードは、適切な動作のための同期信号の存在に依存するので、適切に機能させるために映像アダプタを接続することが必要である。
【００５２】
プラグが抜かれているときの（はずされているときの）電気信号伝達とプラグが差し込まれているときの（接続されているときの）可視信号伝達との組み合わせもまた可能である。この手法では、スイッチ自体がカラー・ラインに常に作用することができ、また、メディア保存ユニットの取込手段が、カラー・ラインの動作を電気的にかあるいは視覚的にかのいずれかで検出し、検出に応じて作用することができる。
●モニタＩＤピンを介する電気信号伝達
モニタＩＤ検出スキームの１つでは、取り付けられた表示装置の最小限性能についての情報をディスプレイ・カードに提供するために、ＶＧＡピン４（ＩＤ２）、１１（ＩＤ０）、１２（ＩＤ１）および１５（ＩＤ３）を使用することができる。ＩＤ０〜ＩＤ２は、表２に詳しく示されるように、取り付けられるモニタがカラーであるか否か、１０２４×７６８の解像度で表示することができるか否かを示すために、アース端子に固定されるかあるいは接続されない状態で留めることができる。取り付けることのできる表示装置の性能を限定することによって、これらの通信ラインのいくつかは、標準的なＩＤスキームを支持しながら、メディア保存ユニット通信のために再使用されることができる。例えば、モノクロ・モニタの選択を行うことができるときには、ピン１１はコンピュータ側でまったく接続されず、従って通信のためのメディア保存ユニットによって使用することができる。
【００５３】
【表２】
2007258153.tif 000004
【００５４】
モニタＩＤ検出コード
●ＤＤＣ規格ピンを介する電気信号伝達
表示手段アダプタと表示装置との間における単向性通信および双方向性通信についてのさまざまな映像電子技術標準化協会（ＶＥＳＡ）の規格が存在している。これらの規格はディスプレイ・データ・チャネル（ＤＤＣ）規格として集合的に知られている。これらの規格は、モニタのような表示装置がその性能を表示手段アダプタへ伝達することができるように、また、表示手段アダプタが表示装置のパラメータを構成することができるように、設計された。これらのデータ伝送プロトコルは、規格化されたＶＧＡケーブルに作用する。一実施形態では、このプロトコルによって提供される標準的な通信チャネルを、本発明のインターフェイスで使用するために選択することができる。すなわち、このスマート・スイッチは、ＶＥＳＡ規格プロトコルを使用することで、メッセージをメディア保存ユニットへ送信することができるが、そのメディア保存ユニットのために意図された信号を送信することもできる。メディア保存ユニットは、このメッセージを傍受して、それを適切に解釈することができる。同様に、メディア保存ユニットは、スイッチがデコードすることのできるメッセージを送信することができる。ホスト・コンピュータと実際の表示装置との間のＶＥＳＡリンクのサポートの必要性によって、このスイッチおよびメディア保存ユニットは、標準的なＤＤＣ情報を変更されない状態で通過させることができる。
【００５５】
本発明の好ましい実施形態についての上記説明は、例示と説明との目的のために提供された。網羅的であることあるいは本発明を開示された正確な形態に制限することは、意図されていない。関連分野における当業者には、多くの改変および変形が明らかであろう。これらの実施形態は、本発明とその部分的な用途の原理を最もよく説明し、これによって、当業者が本発明をさまざまな実施形態についてかつ予期される特定の使用に適したさまざまな改変で理解することができるようにするために、選択されかつ説明された。本発明の範囲は特許請求の範囲とこれらの均等物とによって画定されることが意図されている。
【図面の簡単な説明】
【００５６】
【図１Ａ】メディア保存ユニットを制御するために使用することのできる、一実施形態における要素部品を示す。
【図１Ｂ】スイッチを備える要素部品の例を示す。
【図２】一実施形態におけるメディア保存ユニット・システムを示す。
【図３】一実施形態におけるシステムを示す。
【図４】ＶＧＡケーブルのピンを示す。
【符号の説明】
【００５７】
１０２  要素部品
１０４  スイッチ
１０６  映像ケーブル・コード
２０２、２０２’  メディア保存ユニット
２０４、２０４’  ラップトップ・コンピュータ
２０６、２０６’  プロジェクタ
【図１Ａ】
2007258153.tif 000005
【図１Ｂ】
2007258153.tif 000006
【図２】
2007258153.tif 000007
【図３】
2007258153.tif 000008
【図４】
2007258153.tif 000009